(57)【要約】【課題】中骨ビームに干渉されない作業アッタッチメント取付け部材を結合した横型シャンクアセンブリを提供する。【解決手段】横型シャンクの基端側から下方傾斜面を介して中骨ビームへの干渉を避ける垂直基盤を一体結合した複合ブラケットを形成し、垂直基盤に作業アッタッチメント基盤を結合する。垂直基盤に支点ボルト孔を形成し、支点ボルト孔の下方に左右対称の２個の安全ボルト孔を形成する。作業アタッチメント基盤上部に垂直基盤の支点ボルト孔に選択的に結合される上・下２個の安全ボルト孔を形成する。さらに好ましくは、作業アタッチメント基盤上部に、前記垂直基盤の支点ボルト孔に対応して選択的に結合される上下２個の支点ボルト孔を形成するとともに、作業アタッチメント基盤の下部支点ボルト孔の下方に、垂直基盤の左右安全ボルト孔に選択的に結合される第２の安全ボルト孔を形成する。【選択図】図１
2014200197.tif 000002
【特許請求の範囲】
【請求項１】
カルチベータ中骨ビーム（５）の横型ブラケット（１１）に装着される横型シャンク（７）の基端側から中骨ビーム（５）への干渉を避けるようにして該シャンク内側下方へ傾斜させ、その傾斜面下端から下方へ延在する垂直基盤（１５）を一体結合した複合ブラケット（１６）に形成するとともに、この複合ブラケット（１６）の垂直基盤（１５）に作業アッタッチメント基盤（１９）を一体結合したことを特徴とするカルチベータ中骨ビームの横型シャンクアセンブリ。
【請求項２】
前記複合ブラケット（１６）の前記垂直基盤（１５）に支点ボルト孔（２２）を形成するとともに、該支点ボルト孔（２２）の下方に左右対称の少なくとも２個の安全ボルト孔（２３）、（２４）を形成し、前記作業アタッチメント基盤（１９）上部に、前記垂直基盤（１５）の支点ボルト孔（２２）に対応する支点ボルト孔と前記垂直基盤（１５）の前記安全ボルト孔（２３）、（２４）に対応して選択的に結合される安全ボルト孔（２６）を形成したことをさらに特徴とする請求項１記載の横型シャンクアセンブリ。
【請求項３】
前記作業アタッチメント基盤（１９）の上部に、前記垂直基盤（１５）の支点ボルト孔（２２）に対応して選択的に結合される上下２個の支点ボルト孔（２５ａ）、（２５ｂ）を形成するとともに、作業アタッチメント基盤（１９）の下部支点ボルト孔（２５ｂ）の下方に、前記垂直基盤（１５）の前記左右安全ボルト孔（２３）、（２４）に対応して選択的に結合される第２の安全ボルト孔（２７）を形成したことを特徴とする請求項１又は２記載の横型シャンクアセンブリ。
【発明の詳細な説明】
【技術分野】
【０００１】
この発明は牽引式カルチベータ中骨ビームの横型ブラケットに着脱される横型シャンクに関し、詳細には、中骨ビームに干渉されない作業アッタッチメント取付け部材を結合した横型シャンクアセンブリに関する。
【背景技術】
【０００２】
図８に例示するように、トラクタに牽引されるカルチベータは、牽引横バー１に沿って複数のカルチベータユニット２が一定間隔で結合されている。
図８、及び図９に示すように、各カルチベータユニット２はバネ３を使用した四点リンク機構４を介して弾力的に支持された中骨ビーム５を有し、この中骨ビーム５に各種作業アタッチメント６，７を着脱可能に結合し、カルチベータの走行により各種作業が遂行されるようになっている。
作業アタッチメントには縦型シャンク８を有するものと端部に作業アタッチメント７を結合した横型シャンク９を有するものがあり、このため、図７に示すように、中骨ビーム５には縦型シャンクを挿入して結合するための縦型シャンク用ブラケット１０と横型シャンクを挿入して結合するための横型ブラケット１１が固定されている。
【先行技術文献】
【特許文献】
【０００３】
【特許文献１】特開２０１０−２７９２７６号公報
【発明の概要】
【発明が解決しようとする課題】
【０００４】
縦型ブラケット１０に着脱される縦型シャンク８の作業アッタッチメント６は高さのみを調整できればよいので縦型シャンク８の下方に延びる作業アッタッチメント６を中骨ビーム５の中心軸に合わせることは容易である。
ところが、横型シャンク用ブラケット１１に着脱される従来の横型シャンク９は、中骨ビーム５の左右に伸縮可能に突出する左出し又は右出しのシャンク端部に作業アタッチメント７に取付け、相対するカルチベータユニット２、２に装着した左右の作業アタッチメント７、７で畝列の作物に培土などの作業を行うものであるから、横型シャンク９の突出長さ調節で作物の成長に応じた空間調整ができるとしても、作業アッタッチメント７は中骨ビーム５に当接して側方に突出した状態にあるので、作物が大きく成長すると作業アタッチメントに干渉され、使用に適さなくなるという問題があった。
【０００５】
従って、本発明の第１の目的は、作業アッタッチメントを取付ける横型シャンクの作業アッタッチメントを中骨ビームの中心軸と一致させて、相対するカルチベータユニットの作業アッタッチメント間により拡大された空間を確保できる横型シャンクアセンブリを提供することにある。
【０００６】
本発明の第２の目的は、作業アッタッチメント用基盤を逆向きに付け換えることにより中骨ビームの左出し用・右出し用に共用できる上記横型シャンクアセンブリを提供することにある。
【０００７】
本発明の第３の目的は、さらに、作業アッタッチメント用基盤の上下位置、接地角度を調整できる上記横型シャンクアセンブリを提供することにある。
【課題を解決するための手段】
【０００８】
上記第１の目的を達成するために、本発明の横型シャンクアセンブリは、カルチベータ中骨ビームの横型ブラケットに装着される横型シャンクの基端側（非自由端側）から中骨ビームへの干渉を避けるようにして内側（中心側）下方へ傾斜させ、その傾斜面下端から下方へ延在する垂直基盤を一体結合した複合ブラケットに形成し、この複合ブラケットの垂直基盤に作業アッタッチメント基盤を着脱可能に結合したことを特徴とする。
【０００９】
上記第２の目的を達成するために、本発明は、上記の構成になる横型シャンクアセンブリの前記垂直基盤に支点ボルト孔を形成するとともに、該支点ボルト孔の下方に左右対称の少なくとも２個の安全ボルト孔を形成し、他方の前記作業アタッチメント基盤の上部に前記垂直基盤の支点ボルト孔に対応する支点ボルト孔と前記垂直基盤の前記安全ボルト孔に対応して選択的に結合される安全ボルト孔を形成したことを特徴とする。
【００１０】
上記第３の目的を達成するために、本発明は、上記横型シャンクアセンブリの前記垂直基盤に支点ボルト孔を形成するとともに、該支点ボルト孔の下方に左右対称の少なくとも２個の安全ボル孔を形成し、他方、前記作業アタッチメント基盤の上部に、前記垂直基盤の支点ボルト孔に対応して選択的に結合される上下２個の支点ボルト孔を形成するとともに、作業アタッチメント基盤の下部支点ボルト孔の下方に、前記垂直基盤の前記２個の左右安全ボルト孔に対応して選択的に結合される第２の安全ボルト孔を形成したことを特徴とする。
【発明の効果】
【００１１】
横型シャンクアセンブリの作業アタッチメントが中骨ビームの中心軸下方に一致させて配置されるので左右カルチベータの作業アタッチメント間スペースが広くなる。従って、作物が大きく成長しても走行中の作業アタッチメントによる干渉問題が改善される。
【００１２】
横型シャンクアセンブリの垂直基盤に対して作業アタッチメントの向きを逆に組み換えることにより相対する左右の横型シャンクアセンブリが左右対称形に成るので横型シャンクアセンブリを右出し用、左出し用のどちらにも使用できる。
【００１３】
横型シャンクアセンブリの垂直基盤と作業アタッチメント基盤のボルト孔を選択して結合することにより、垂直基盤に対する作業アタッチメントの高さ及び角度を調整することができる。
【図面の簡単な説明】
【００１４】
【図１】本発明による右出し用横型シャンクアセンブリの斜視図
【図２】図１の横型シャンクアセンブリ分解図
【図３】本発明による左出し用横型シャンクアセンブリの斜視図
【図４】作業アタッチメント基盤の上下調整説明図
【図５】作業アタッチメント基盤の接地角度調整説明図
【図６】本発明の横型シャンクアセンブリ使用したカルチベータの作用説明図
【図７】カルチベータユニットのフレーム斜視図
【図８】牽引式カルチベータの全体斜視図
【図９】従来のカルチベータユニット斜視図
【発明を実施するための形態】
【００１５】
以下、本発明の好ましい実施例を添付図面に基づいて説明する。図において同一の符号は前記図の部材と同一の部材を示している。
図７に示すように各々のカルチベータユニット２はバネ３を使用した四点リンク機構３に弾力的に支持された中骨ビーム５を有し、この中骨ビーム５に深耕爪などの縦型シャンク付き作業アタッチメント（図は省略）を装着する縦型シャンク用ブラケット１０と、培土器などの横型シャンク付き作業アタッチメントを着脱するための横型シャンクブラケット１１が設けられている。
【００１６】
横型シャンクブラケット１１は、両端を開口させた筒状部材からなり、この実施例では一端側を中骨ビーム５の一側方へ突出させ、他端側開口が中骨ビーム５の側面に開口するように形成されている。
本発明の横型シャンクアセンブリ１２は、中骨ビーム５の横型シャンク用ブラケット１１の、好ましくは、非突出側開口１３に挿入して装着される横型シャンク１４を有し、この横型シャンク１４の基端側（非自由端側）から中骨ビーム５への干渉を避けるようにして横側シャンクの内側（中心側）下方へ傾斜させ、さらにこの傾斜面下端から下方へ延在する垂直基盤１５を一体結合して複合ブラケット１６に形成するとともに、この複合ブラケット１６の垂直基盤１５に支点ボルト１７、安全ボルト１８を介して作業アッタッチメント基盤１９を一体結合した構成になっている。
図中、符号２８は横型シャンク用ブラケット１１への結合孔、符号２９は複合ブラケット１６の補強板である。
なお、作業アタッチメント基盤１９の先端には取付けボルト２０により各種作業器具２１が着脱可能に結合されるようになっている。
【００１７】
上記の構成により、横型シャンクアセンブリ１２の横型シャンク１４を横型シャンクブラケット１１に装着したときに、垂直基盤１５の作業アタッチメント１９を中骨ビーム５の中心軸に一致させることができる。
したがって、図６に示すように、作業アタッチメント基盤１９に、例えば、培土器３０を取り付けて左右対のカルチベータユニット２、２に装着した場合でも左右培土器３０、３０間が拡張され、大きく成長した作物がこれに干渉されることがなくなる。
【００１８】
図２は本発明による横型シャンクアセンブリ１２（図１）の分解図を示すもので、複合ブラケット１６の前記垂直基盤１５に前記支点ボルト１７の支点ボルト孔２２を形成するとともに、該支点ボルト孔２２の下方に、好ましくは左右対称の少なくとも２個の安全ボルト孔２３、２４を形成し、他方の前記作業アタッチメント基盤１９  上部に前記垂直基盤１５の支点ボルト孔２２に対応する支点ボルト孔２５ａ、２５ｂと前記垂直基盤１５の前記安全ボルト孔２３、２４に対応して選択的に結合される安全ボルト孔２６を形成してある。
【００１９】
上記の構成により、本発明の横型シャンクアセンブリ１２は、図３に示すように、垂直基盤１５に対する作業アタッチメント基盤１９を図１とは逆の向きに換え、且つ、安全ボルト孔２３または２４を入れ換えることにより、相対する横型シャンクアセンブリ１２、１２の垂直基盤１５に対する作業アタッチメント基盤１９は左右対称となり、右出し用、左出し用のどちらにも使用できることとなる。
【００２０】
また、作業アタッチメント基盤１９の安全ボルト孔２６を垂直基盤１５の左又は右の安全ボルト孔２３、２４に付け換えることにより、作業アタッチメント基盤１９の取付け角度を調整することができる。      
【００２１】
さらに、図２に示すように、前記作業アタッチメント基盤１９の上部に、前記垂直基盤１５の支点ボルト孔２２に対して選択的に結合される上下２個の支点ボルト孔２５ａ、２５ｂを形成するとともに、作業アタッチメント基盤１９の下部支点ボルト孔２５ｂの下方に、前記垂直基盤１５の前記左右安全ボルト孔２３、２４に対応して選択的に結合される第２の安全ボルト孔２７を形成することがより好ましい。
この構成により、作業アタッチメント基盤１９の支点孔２５ａ又は２５ｂを図４のように垂直基盤１５の支点孔２２に選択的に付け換えることで作業アタッチメント基盤１９の取付け状態を上下に調節することができ、また、図５のように、上下調節した上で上記のように作業アタッチメント基盤１９の取付け角度を調節することができる。
【００２２】
図の実施例では本発明の横型シャンクブラケット１１の非突出側開口１３に挿入する場合を例示したがこれに限定されるものではない。横型シャンクブラケット１１が中骨ビーム５の左右両側へ突出している場合もあり、また、複合ブラケット１６は突出側開口にも干渉不能に設計できるからである。
【産業上の利用可能性】
【００２３】
本発明は上記の構成になるのでカルチベータによる農作業の作業効率・作業態様が改善され、産業上有用である。
【符号の説明】
【００２４】
１…牽引横バー
２…カルチベータユニット
３…バネ
４…四点リンク機構
５…中骨ビーム
６、７…作業アタッチメント
８…縦型シャンク
９…第１横型シャンク
１０…縦型シャンク用ブラケット
１１…横型シャンク用ブラケット
１２…横型シャンク用アセンブリ
１３…非突出側開口
１４…第２横型シャンク
１５…垂直基盤
１６…複合ブラケット
１７…支点ボルト
１８…安全ボルト
１９…作業アタッチメント基盤
２０…取付けボルト
２１…作業器具
２２…支点ボルト孔
２３、２４…安全ボルト孔
２５ａ、２５ｂ…支点ボルト孔
２６、２７…安全ボルト孔
２８…結合孔
２９…補強板
３０…培土器
【図１】
2014200197.tif 000003
【図２】
2014200197.tif 000004
【図３】
2014200197.tif 000005
【図４】
2014200197.tif 000006
【図５】
2014200197.tif 000007
【図６】
2014200197.tif 000008
【図７】
2014200197.tif 000009
【図８】
2014200197.tif 000010
【図９】
2014200197.tif 000011
【手続補正書】
【提出日】平成25年5月27日(2013.5.27)
【手続補正１】
【補正対象書類名】特許請求の範囲
【補正対象項目名】全文
【補正方法】変更
【補正の内容】
【特許請求の範囲】
【請求項１】
カルチベータ中骨ビーム（５）に設けた横型ブラケット（１１）の開口へ伸縮可能に挿入して位置可変に装着される横型シャンク（１４）と、この横型シャンク（１４）の前記横型ブラケット（１１）に装着される側と反対側の基端側に上端部を固定し、その下方を前記中骨ビーム（５）への干渉を避けるようにして前記横型シャンク（１４）の装着側下方へ向けて傾斜させ、さらに、その傾斜面下端から下方へ向けた垂直基盤（１５）を一体形成した支持フレームとからなる複合ブラケット（１６）と、この複合ブラケット（１６）の垂直基盤（１５）に一体結合された作業アッタッチメント基盤（１９）と、を有することを特徴とするカルチベータ中骨ビームの横型シャンクアセンブリ。
【請求項２】
前記複合ブラケット（１６）の前記垂直基盤（１５）に支点ボルト孔（２２）を形成するとともに、該支点ボルト孔（２２）の下方に左右対称の少なくとも２個の安全ボルト孔（２３）、（２４）を形成し、前記作業アタッチメント基盤（１９）上部に、前記垂直基盤（１５）の支点ボルト孔（２２）に対応する支点ボルト孔と前記垂直基盤（１５）の前記安全ボルト孔（２３）、（２４）に対応して選択的に結合される安全ボルト孔（２６）を形成したことをさらに特徴とする請求項１記載の横型シャンクアセンブリ。
【請求項３】
前記作業アタッチメント基盤（１９）の上部に、前記垂直基盤（１５）の支点ボルト孔（２２）に対応して選択的に結合される上下２個の支点ボルト孔（２５ａ）、（２５ｂ）を形成するとともに、作業アタッチメント基盤（１９）の下部支点ボルト孔（２５ｂ）の下方に、前記垂直基盤（１５）の前記左右安全ボルト孔（２３）、（２４）に対応して選択的に結合される第２の安全ボルト孔（２７）を形成したことを特徴とする請求項２記載の横型シャンクアセンブリ。
【手続補正２】
【補正対象書類名】明細書
【補正対象項目名】全文
【補正方法】変更
【補正の内容】
【発明の詳細な説明】
【技術分野】
【０００１】
この発明は牽引式カルチベータ中骨ビームの横型ブラケットに着脱される横型シャンクに関し、詳細には、中骨ビームに干渉されない作業アッタッチメント取付け部材を結合した横型シャンクアセンブリに関する。
【背景技術】
【０００２】
図８に例示するように、トラクタに牽引されるカルチベータは、牽引横バー１に沿って複数のカルチベータユニット２が一定間隔で結合されている。
図８、及び図９に示すように、各カルチベータユニット２はバネ３を使用した四点リンク機構４を介して弾力的に支持された中骨ビーム５を有し、この中骨ビーム５に各種作業アタッチメント６，７を着脱可能に結合し、カルチベータの走行により各種作業が遂行されるようになっている。
作業アタッチメントには縦型シャンク８を有するものと端部に作業アタッチメント７を結合した横型シャンク９を有するものがあり、このため、図７に示すように、中骨ビーム５には縦型シャンクを挿入して結合するための縦型シャンク用ブラケット１０と横型シャンクを挿入して結合するための横型ブラケット１１が固定されている。
【先行技術文献】
【特許文献】
【０００３】
【特許文献１】特開２０１０−２７９２７６号公報
【発明の概要】
【発明が解決しようとする課題】
【０００４】
図９に示すように、縦型ブラケット１０に着脱される縦型シャンク８の作業アッタッチメント６は高さのみを調整できればよいので縦型シャンク８の下方に延びる作業アッタッチメント６を中骨ビーム５の中心軸に合わせることは容易である。
ところが、横型シャンク用ブラケット１１に着脱される従来の横型シャンク９は、中骨ビーム５の左右に伸縮可能に突出する左出し又は右出しのシャンク端部に作業アタッチメント７に取付け、相対するカルチベータユニット２、２に装着した左右の作業アタッチメント７、７で畝列の作物に培土などの作業を行うものであるから、横型シャンク９の突出長さ調節で作物の成長に応じた空間調整ができるとしても、作業アッタッチメント７は中骨ビーム５に当接して側方に突出した状態にあるので、作物が大きく成長すると作業アタッチメントに干渉され、使用に適さなくなるという問題があった。
【０００５】
従って、本発明の第１の目的は、作業アッタッチメントを取付ける横型シャンクの作業アッタッチメントを中骨ビームの中心軸と一致する位置まで移動させ、これにより相対するカルチベータユニットの作業アッタッチメント間により拡大された空間を確保できるようにした横型シャンクアセンブリを提供することにある。
【０００６】
本発明の第２の目的は、作業アッタッチメント用基盤を逆向きに付け換えることにより中骨ビームの左出し用・右出し用に共用できる上記横型シャンクアセンブリを提供することにある。
【０００７】
本発明の第３の目的は、さらに、作業アッタッチメント用基盤の上下位置、接地角度を調整できる上記横型シャンクアセンブリを提供することにある。
【課題を解決するための手段】
【０００８】
上記第１の目的を達成するために、本発明の横型シャンクアセンブリは、カルチベータ中骨ビームに設けた横型ブラケットの開口へ伸縮可能に挿入して位置可変に装着される横型シャンクと、この横型シャンクの前記横型ブラケットに装着される側と反対側の基端側に上端部を固定し、その下方を前記中骨ビームへの干渉を避けるようにして前記横型シャンクの装着側下方へ向けて傾斜させ、さらに、その傾斜面下端から下方へ向けて垂直基盤を一体結合したてなる支持フレームトからなる複合ブラケットと、この複合ブラケットの垂直基盤に一体結合された作業アッタッチメント基盤と、を有することを特徴とする。
【０００９】
上記第２の目的を達成するために、本発明は、上記の構成になる横型シャンクアセンブリの前記垂直基盤に支点ボルト孔を形成するとともに、該支点ボルト孔の下方に左右対称の少なくとも２個の安全ボルト孔を形成し、他方の前記作業アタッチメント基盤の上部に前記垂直基盤の支点ボルト孔に対応する支点ボルト孔と前記垂直基盤の前記安全ボルト孔に対応して選択的に結合される安全ボルト孔を形成したことを特徴とする。
【００１０】
上記第３の目的を達成するために、本発明は、上記横型シャンクアセンブリの前記垂直基盤に支点ボルト孔を形成するとともに、該支点ボルト孔の下方に左右対称の少なくとも２個の安全ボル孔を形成し、他方、前記作業アタッチメント基盤の上部に、前記垂直基盤の支点ボルト孔に対応して選択的に結合される上下２個の支点ボルト孔を形成するとともに、作業アタッチメント基盤の下部支点ボルト孔の下方に、前記垂直基盤の前記２個の左右安全ボルト孔に対応して選択的に結合される第２の安全ボルト孔を形成したことを特徴とする。
【発明の効果】
【００１１】
隣り合う左右中骨ビームに装着した左・右の横型シャンクアセンブリの作業アタッチメントを中骨ビームの中心軸下方に一致する位置に変位させて配置することにより、左・右カルチベータユニットの作業アタッチメント間のスペースが広く成り、その結果、作物が大きく成長しても走行中の作業アタッチメントによる干渉問題が改善される。
【００１２】
横型シャンクアセンブリの垂直基盤に対して作業アタッチメントの向きを逆に組み換えることにより相対する左右の横型シャンクアセンブリが左右対称形に成るので横型シャンクアセンブリを右出し用、左出し用のどちらにも使用できる。
【００１３】
横型シャンクアセンブリの垂直基盤と作業アタッチメント基盤のボルト孔を選択して結合することにより、垂直基盤に対する作業アタッチメントの高さ及び角度を調整することができる。
【図面の簡単な説明】
【００１４】
【図１】カルチベータの進行方向から見た本発明による左出し用横型シャンクアセンブリの斜視図
【図２】図１の横型シャンクアセンブリ分解図
【図３】カルチベータの進行方向から見た本発明による右出し用横型シャンクアセンブリの斜視図
【図４】作業アタッチメント基盤の上下調整説明図
【図５】作業アタッチメント基盤の接地角度調整説明図
【図６】カルチベータの進行方向から見た本発明の左出し用及び右出し用横型シャンクアセンブリの使用例によるカルチベータの作用説明図
【図７】カルチベータユニットのフレーム斜視図
【図８】牽引式カルチベータの全体斜視図
【図９】従来のカルチベータユニット斜視図
【発明を実施するための形態】
【００１５】
以下、本発明の好ましい実施例を添付図面に基づいて説明する。図において同一の符号は前記図の部材と同一の部材を示している。
図７に示すように各々のカルチベータユニット２はバネ３を使用した四点リンク機構３に弾力的に支持された中骨ビーム５を有し、この中骨ビーム５に深耕爪などの縦型シャンク付き作業アタッチメント（図は省略）を装着する縦型シャンク用ブラケット１０と、培土器などを結合する横型シャンク付き作業アタッチメントを着脱するための横型シャンクブラケット１１が前記中骨ビーム５の横断方向に貫通させて設けられている。
【００１６】
横型シャンクブラケット１１は、両端を開口させた筒状部材からなり、この実施例では一端側を中骨ビーム５の一側方へ突出させ、他端側開口が中骨ビーム５の側面に開口するように形成されている。
本発明の横型シャンクアセンブリ１２は、中骨ビーム５の横型シャンク用ブラケット１１の、好ましくは、非突出側開口１３に挿入して装着される横型シャンク１４と、この横型シャンク１４の基端側（横型シャンク１４の部材のうち、横型シャンクブラケット１１の前記開口に挿入される側の反対側）に上端部を固設させ、その下方を前記中骨ビーム５への干渉を避けるようにして前記横型シャンク１４の挿入先端側（中心側）下方へ向けて下降傾斜させ、さらにこの傾斜面下端から下方へ向けて垂直基盤１５を延在させたた支持フレームと、で複合ブラケット１６を形成するとともに、この複合ブラケット１６の垂直基盤１５に支点ボルト１７、安全ボルト１８を介して作業アッタッチメント基盤１９を一体結合した構成になっている。
図中、符号２８は横型シャンク用ブラケット１１への結合孔、符号２９は複合ブラケット１６の補強板である。
なお、作業アタッチメント基盤１９の先端には取付けボルト２０により各種作業器具２１が着脱可能に結合されるようになっている。
図７に示すように、各カルチベータ２の中骨ビーム５には進行方向から見て横型シャンク１４の自由端を中骨ビーム５の右側から左側へ挿入・貫通させて取付ける左出し用横型シャンクブラケットと、中骨ビーム５の左側から右側へ挿入・貫通させて取付ける右出し用横型シャンクブラケットが中骨ビーム５の軸方向に沿って形成されている。
したがって本発明の横型シャンク用ブラケットアセンブリ１２には前記右出し用横型シャンクブラケットに対応可能な左出し用横型シャンクアセンブリ（図１）と、前記左出し用横型シャンクブラケットに対応可能な右出し用横型シャンクアセンブリ（図３）があり、本発明はこれらの態様を包含している。
【００１７】
上記の構成により、本発明の基本的な機能及び作用は、横型シャンクアセンブリ１２の横型シャンク１４を横型シャンクブラケット１１に伸縮可能に装着したときに、垂直基盤１５の作業アタッチメント１９を中骨ビーム５の中心軸に一致させることができる点にある。
また、図６に示すように、作業アタッチメント基盤１９に、例えば、培土器３０を取り付けた左出し用横型シャンクアセンブリ１１と右出し用横型シャンクアセンブリ１２を左・右対のカルチベータユニット２、２の中骨ビーム５，５に装着し、各横型シャンクアセンブリ１２，１２の前記作業アタッチメント基盤１９、１９を中骨ビーム５、５の軸方向に一致させると、左右培土器３０、３０間のスペースが
拡張され、大きく成長した作物がこれに干渉されることがなくなる。
なお、図６は左・右カルチベータユニット２、２を前進方向から見た作用説明図である。
【００１８】
図２は本発明による横型シャンクアセンブリ１２（図１）の分解図を示すもので、複合ブラケット１６の前記垂直基盤１５に前記支点ボルト１７の支点ボルト孔２２を形成するとともに、該支点ボルト孔２２の下方に、好ましくは左右対称の少なくとも２個の安全ボルト孔２３、２４を形成し、他方の前記作業アタッチメント基盤１９  上部に前記垂直基盤１５の支点ボルト孔２２に対応する支点ボルト孔２５ａ、２５ｂと前記垂直基盤１５の前記安全ボルト孔２３、２４に対応して選択的に結合される安全ボルト孔２６を形成してある。
【００１９】
上記の構成により、本発明の横型シャンクアセンブリ１２は、図３に示すように、垂直基盤１５に対する作業アタッチメント基盤１９を図１とは逆の向きに換え、且つ、安全ボルト孔２３または２４を入れ換えることにより、相対する横型シャンクアセンブリ１２、１２の垂直基盤１５に対する作業アタッチメント基盤１９は左右対称となる。従って、図６に示すように、隣り合うカルチベータ２，２の中骨ビーム５，５に左出し用と右出し用の横型シャンクアセンブリ１２，１２を対をなして対向装着する際に、本発明を右出し用、左出し用どちらの横型シャンクアセンブリにも使用することができる。
【００２０】
また、作業アタッチメント基盤１９の安全ボルト孔２６を垂直基盤１５の左又は右の安全ボルト孔２３、２４に付け換えることにより、作業アタッチメント基盤１９の取付け角度を調整することができる。      
【００２１】
さらに、図２に示すように、前記作業アタッチメント基盤１９の上部に、前記垂直基盤１５の支点ボルト孔２２に対して選択的に結合される上下２個の支点ボルト孔２５ａ、２５ｂを形成するとともに、作業アタッチメント基盤１９の下部支点ボルト孔２５ｂの下方に、前記垂直基盤１５の前記左右安全ボルト孔２３、２４に対応して選択的に結合される第２の安全ボルト孔２７を形成することがより好ましい。
この構成により、作業アタッチメント基盤１９の支点孔２５ａ又は２５ｂを図４のように垂直基盤１５の支点孔２２に選択的に付け換えることで作業アタッチメント基盤１９の取付け状態を上下に調節することができ、また、図５のように、上下調節した上で上記のように作業アタッチメント基盤１９の取付け角度を調節することができる。
【００２２】
図の実施例では本発明の横型シャンクブラケット１１の非突出側開口１３に挿入する場合を例示したがこれに限定されるものではない。横型シャンクブラケット１１が中骨ビーム５の左右両側へ突出している場合もあり、また、複合ブラケット１６は突出側開口にも干渉不能に設計できるからである。
【産業上の利用可能性】
【００２３】
本発明は上記の構成になるのでカルチベータによる農作業の作業効率・作業態様が改善され、産業上有用である。
【符号の説明】
【００２４】
１…牽引横バー
２…カルチベータユニット
３…バネ
４…四点リンク機構
５…中骨ビーム
６、７…作業アタッチメント
８…縦型シャンク
９…従来の横型シャンク
１０…縦型シャンク用ブラケット
１１…横型シャンク用ブラケット
１２…横型シャンク用アセンブリ
１３…非突出側開口
１４…本発明による横型シャンク
１５…垂直基盤
１６…複合ブラケット
１７…支点ボルト
１８…安全ボルト
１９…作業アタッチメント基盤
２０…取付けボルト
２１…作業器具
２２…支点ボルト孔
２３、２４…安全ボルト孔
２５ａ、２５ｂ…支点ボルト孔
２６、２７…安全ボルト孔
２８…結合孔
２９…補強板
３０…培土器
【手続補正３】
【補正対象書類名】図面
【補正対象項目名】図６
【補正方法】変更
【補正の内容】
【図６】
2014200197.tif 000012